(57)【要約】【課題】軟水機の利用態様が改善された水処理装置を提供すること。【解決手段】本発明は、原水が貯留される原水タンクと、前記原水タンクから供給される原水を前処理する前処理ユニットと、前記前処理ユニットによって前処理された原水に対して逆浸透膜を用いて当該原水をＲＯ水とＲＯ排水とに分離するＲＯモジュールと、を備え、前記前処理ユニットは、軟水機を含む軟水機経路と、前記軟水機を迂回する軟水機バイパス経路と、前記軟水機経路の原水の通流を制御する軟水機通流弁と、前記軟水機パイパス経路の原水の通流を制御する軟水機パイパス弁と、前記軟水機経路内の前記軟水機の入口側の圧力を検出する第１圧力センサと、前記第１圧力センサの検出値に基づいて、前記軟水機通流弁と前記軟水機パイパス弁とを自動制御する制御部と、を有していることを特徴とする水処理装置である。【選択図】図１
2018201664.tif 000002
【特許請求の範囲】
【請求項１】
原水が貯留される原水タンクと、
前記原水タンクから供給される原水を前処理する前処理ユニットと、
前記前処理ユニットによって前処理された原水に対して逆浸透膜を用いて当該原水をＲＯ水とＲＯ排水とに分離するＲＯモジュールと、
を備え、
前記前処理ユニットは、
軟水機を含む軟水機経路と、
前記軟水機を迂回する軟水機バイパス経路と、
前記軟水機経路の原水の通流を制御する軟水機通流弁と、
前記軟水機パイパス経路の原水の通流を制御する軟水機パイパス弁と、
前記軟水機経路内の前記軟水機の入口側の圧力を検出する第１圧力センサと、
前記第１圧力センサの検出値に基づいて、前記軟水機通流弁と前記軟水機パイパス弁とを自動制御する制御部と、
を有している
ことを特徴とする水処理装置。
【請求項２】
前記制御部は、前記第１圧力センサの検出値が０．２ＭＰａ以上である時、前記軟水機通流弁を閉鎖させて、前記軟水機パイパス弁を開放するようになっている
ことを特徴とする請求項１に記載の水処理装置。
【請求項３】
原水が貯留される原水タンクと、
前記原水タンクから供給される原水を前処理する前処理ユニットと、
前記前処理ユニットによって前処理された原水に対して逆浸透膜を用いて当該原水をＲＯ水とＲＯ排水とに分離するＲＯモジュールと、
を備え、
前記前処理ユニットは、
軟水機を含む軟水機経路と、
前記軟水機を迂回する軟水機バイパス経路と、
前記軟水機経路の原水の通流を制御する軟水機通流弁と、
前記軟水機パイパス経路の原水の通流を制御する軟水機パイパス弁と、
前記軟水機経路内の前記軟水機の出口側の圧力を検出する第２圧力センサと、
前記第２圧力センサの検出値に基づいて、前記軟水機通流弁と前記軟水機パイパス弁とを自動制御する制御部と、
を有している
ことを特徴とする水処理装置。
【請求項４】
前記制御部は、前記第２圧力センサの検出値が０．０７ＭＰａ未満である時、前記軟水機通流弁を閉鎖させて、前記軟水機パイパス弁を開放するようになっている
ことを特徴とする請求項３に記載の水処理装置。
【請求項５】
原水が貯留される原水タンクと、
前記原水タンクから供給される原水を前処理する前処理ユニットと、
前記前処理ユニットによって前処理された原水に対して逆浸透膜を用いて当該原水をＲＯ水とＲＯ排水とに分離するＲＯモジュールと、
を備え、
前記前処理ユニットは、
軟水機を含む軟水機経路と、
前記軟水機を迂回する軟水機バイパス経路と、
前記軟水機経路と前記軟水機バイパス経路との合流部より下硫側に設けられたカーボンフィルタと、
前記軟水機経路の原水の通流を制御する軟水機通流弁と、
前記軟水機パイパス経路の原水の通流を制御する軟水機パイパス弁と、
前記カーボンフィルタの出口側の圧力を検出する第３圧力センサと、
前記第３圧力センサの検出値に基づいて、前記軟水機通流弁と前記軟水機パイパス弁とを自動制御する制御部と、
を有している
ことを特徴とする水処理装置。
【請求項６】
前記制御部は、前記第３圧力センサの検出値が０．０２ＭＰａ未満である時、前記軟水機通流弁を閉鎖させて、前記軟水機パイパス弁を開放するようになっている
ことを特徴とする請求項５に記載の水処理装置。
【請求項７】
原水が貯留される原水タンクと、
前記原水タンクから供給される原水を前処理する前処理ユニットと、
前記前処理ユニットによって前処理された原水に対して逆浸透膜を用いて当該原水をＲＯ水とＲＯ排水とに分離するＲＯモジュールと、
を備え、
前記前処理ユニットは、
軟水機を含む軟水機経路と、
前記軟水機を迂回する軟水機バイパス経路と、
前記軟水機経路と前記軟水機バイパス経路との合流部より下硫側に設けられたカーボンフィルタと、
前記軟水機経路の原水の通流を制御する軟水機通流弁と、
前記軟水機パイパス経路の原水の通流を制御する軟水機パイパス弁と、
前記カーボンフィルタの出口側の通水量を検出する通水量センサと、
前記通水量センサの検出値に基づいて、前記軟水機通流弁と前記軟水機パイパス弁とを自動制御する制御部と、
を有している
ことを特徴とする水処理装置。
【請求項８】
前記制御部は、前記通水量センサの検出値が所定量未満である時、前記軟水機通流弁を閉鎖させて、前記軟水機パイパス弁を開放するようになっている
ことを特徴とする請求項７に記載の水処理装置。
【請求項９】
原水が貯留される原水タンクと、
前記原水タンクから供給される原水を前処理する前処理ユニットと、
前記前処理ユニットによって前処理された原水に対して逆浸透膜を用いて当該原水をＲＯ水とＲＯ排水とに分離するＲＯモジュールと、
を備え、
前記前処理ユニットは、
軟水機を含む軟水機経路と、
前記軟水機を迂回する軟水機バイパス経路と、
前記軟水機経路の原水の通流を制御する軟水機通流弁と、
前記軟水機パイパス経路の原水の通流を制御する軟水機パイパス弁と、
前記軟水機経路内の前記軟水機の入口側の圧力を検出する第１圧力センサと、
前記軟水機経路内の前記軟水機の出口側の圧力を検出する第２圧力センサと、
前記カーボンフィルタの出口側の圧力を検出する第３圧力センサと、
前記カーボンフィルタの出口側の通水量を検出する通水量センサと、
前記第１圧力センサ、前記第２圧力センサ、前記第３圧力センサ及び前記通水量センサのうちの少なくとも一つの検出値に基づいて、前記軟水機通流弁と前記軟水機パイパス弁とを自動制御する制御部と、
を有している
ことを特徴とする水処理装置。
【請求項１０】
前記制御部による自動制御機能を一時的に不能化できる手動スイッチ
を更に備えたことを特徴とする請求項１乃至９のいずれかに記載の水処理装置。
【発明の詳細な説明】
【技術分野】
【０００１】
本発明は、透析治療に用いられる人工透析用水等を製造するための水処理装置に関する。
【背景技術】
【０００２】
従来の人工透析用水製造装置について、図２を用いて説明する。図２に示すように、人工透析用水は、典型的には水道水や井戸水である原水から製造される。
【０００３】
原水は、まず、原水タンク５１に貯留される。原水タンク５１の内部には、加温用ヒータ５１ｈが設けられていて、原水の温度を２５℃にまで加温する。原水の温度が２５℃よりも低いままでは、後続の装置内において、原水中のシリカ成分等が析出して不具合を発生させるおそれがあるからである。
【０００４】
２５℃に加温された原水は、次に、原水ポンプ５２によって前処理ユニット５３に送られる。前処理ユニット５３は、プレフィルタ５３ａと、軟水機５３ｂと、カーボンフィルタ５３ｃと、を当該順序で有している。プレフィルタ５３ａは、主として原水中の不純物（ゴミ）を濾過し、軟水機５３ｂは、主として原水中のカルシウムイオン（Ｃａ2+ ）及びマグネシウムイオン（Ｍｇ2+ ）を除去し、カーボンフィルタ５３ｃは、主として原水中の残留塩素（ＨＣｌＯ等）を除去する。
【０００５】
前処理ユニット５３での前処理が終わった原水は、ＲＯユニット５４（逆浸透膜処理装置）に送られる。ＲＯユニット５４は、ＲＯポンプ５４ｐを用いて、前処理が終わった原水をＲＯモジュール５４ｍ内に供給する。ＲＯモジュール５４ｍは、原水内に含まれる無機イオン全般を除去する。ＲＯモジュール５４ｍでの処理を終えたＲＯ水（原水の１５〜４８％程度）は、ＲＯ水供給ユニット５５に送られ、ＲＯモジュール５４ｍでの処理によって生成されたＲＯ排水は、一部（原水の５〜８０％程度、「循環水」とも呼ばれる）がＲＯポンプ５４ｐを介してＲＯモジュール５４ｍ内に再投入され、他の一部（原水の５〜４８％程度、「濃縮水」とも呼ばれる）が排水処理される。
【０００６】
ＲＯ水供給ユニット５５は、ＲＯ水が貯留されるＲＯ水タンク５５ｔを有している。ＲＯ水タンク５５ｔ内には、ＵＶ照射装置５５ｕが設けられていて、ＲＯ水にＵＶ照射処理を行なえるようになっている。また、ＲＯ水タンク５５ｔには、当該ＲＯ水タンク５５ｔ内のＲＯ水の水位変化に依存して流入する外部空気中の浮遊菌やゴミを除去するために、エアーフィルタ５５ｆが設けられている。
【０００７】
ＲＯ水タンク５５ｔに貯留されたＲＯ水は、送水ポンプ５６を介して、ＵＦ５７（ウルトラフィルタ、「限界濾過膜」とも呼ばれる）に送られる。ＵＦ５７は、ＲＯ水から生物学的不純物を除去する。ＵＦ５７によって生物学的不純物を除去されたＲＯ水は、透析用水として、透析治療用の各種の医療機器に送られる。通常、それらの医療機器において、透析用水は３６℃前後にまで加温されて、各種の透析治療に利用される。そして、透析用水は、医療機器循環後、ＵＦ５８（ウルトラフィルタ、「限界濾過膜」とも呼ばれる）に戻ってきて、更にＲＯ水タンク５５ｔに戻される。
【０００８】
図２に示す以上のような人工透析用水製造装置は、すでに実用化されていて、透析治療のための人工透析用水を安定的に製造している。
【０００９】
その他、特許文献１は、人工透析用水中の細菌由来のＤＮＡ断片を簡単な設備、操作で効率よく除去できる方法及び浄化装置を提案している。
【先行技術文献】
【特許文献】
【００１０】
【特許文献１】特開２０１０−２７９４６１
【発明の概要】
【発明が解決しようとする課題】
【００１１】
本件出願人は、図２に示す人工透析用水製造装置を製造する製造メーカーである。そして、本件発明者は、図２の人工透析用水製造装置を更に改良することについて、鋭意検討を重ねてきた。そして、軟水機５３ｂの利用態様に関して、改善の余地があることを見出した。
【００１２】
軟水機５３ｂは、原水の軟水化の実施（具体的には原水中のカルシウムイオン（Ｃａ2+ ）及びマグネシウムイオン（Ｍｇ2+ ）の除去）によって、内部の樹脂要素（濾過要素）に閉塞が生じる可能性がある。
【００１３】
通常は、原水の軟水化を実施しない夜間等において、軟水機５３ｂを再生させる（軟水機５３ｂの内部の樹脂要素の閉塞物を除去する）ための専用の再生装置が用いられて、当該閉塞による不都合が生じることが防止されている。
【００１４】
しかしながら、水処理装置の設置場所の環境条件によって、及び／または、軟水機５３ｂ等の経年変化によって、原水の軟水化の実施中において、樹脂要素に閉塞が生じる場合がある。そのような場合、ＲＯユニット５４の機能が停止してしまい、ひいては透析治療の遅延を引き起こす。
【００１５】
ここで、予め軟水機５３ｂのバイパス経路を設けておくことは、従来の水処理装置においても時々行われている。しかしながら、軟水機５３ｂをバイパスする際には、ユーザによる手動の切換操作が必要であった。
【００１６】
本発明は、以上の知見に基づいて創案されたものである。本発明の目的は、軟水機の利用態様が改善された人工透析用水製造装置を提供することである。また、本発明によって製造されるＲＯ水は、人工透析用水に限定されず、器具洗浄用水、検査用水、手洗い用水、調剤用水、等としても利用できる。すなわち、本発明は、広くは、軟水機の利用態様が改善された水処理装置を提供することである。
【課題を解決するための手段】
【００１７】
本発明は、原水が貯留される原水タンクと、前記原水タンクから供給される原水を前処理する前処理ユニットと、前記前処理ユニットによって前処理された原水に対して逆浸透膜を用いて当該原水をＲＯ水とＲＯ排水とに分離するＲＯモジュールと、を備え、前記前処理ユニットは、軟水機を含む軟水機経路と、前記軟水機を迂回する軟水機バイパス経路と、前記軟水機経路の原水の通流を制御する軟水機通流弁と、前記軟水機パイパス経路の原水の通流を制御する軟水機パイパス弁と、前記軟水機経路内の前記軟水機の入口側の圧力を検出する第１圧力センサと、前記第１圧力センサの検出値に基づいて、前記軟水機通流弁と前記軟水機パイパス弁とを自動制御する制御部と、を有していることを特徴とする水処理装置である。
【００１８】
本発明によれば、軟水機の入口側の圧力を検出する第１圧力センサの検出値に基づいて軟水機通流弁と軟水機パイパス弁とが自動制御されることにより、ユーザによる手動の切換操作を必要とすることなく、軟水機のパイパスを必要最小限且つタイムリーに実施することができる。
【００１９】
例えば、制御部は、第１圧力センサの検出値が所定量以上、例えば０．２ＭＰａ以上、である時、軟水機通流弁を閉鎖させて、軟水機パイパス弁を開放するようになっている。第１圧力センサの検出値が所定量以上、例えば０．２ＭＰａ以上、である時には、軟水機の内部に閉塞状態が存在する蓋然性が高いため、水処理の継続を優先するべく軟水機のバイパス機能を有効利用できる。
【００２０】
あるいは、本発明は、原水が貯留される原水タンクと、前記原水タンクから供給される原水を前処理する前処理ユニットと、前記前処理ユニットによって前処理された原水に対して逆浸透膜を用いて当該原水をＲＯ水とＲＯ排水とに分離するＲＯモジュールと、を備え、前記前処理ユニットは、軟水機を含む軟水機経路と、前記軟水機を迂回する軟水機バイパス経路と、前記軟水機経路の原水の通流を制御する軟水機通流弁と、前記軟水機パイパス経路の原水の通流を制御する軟水機パイパス弁と、前記軟水機経路内の前記軟水機の出口側の圧力を検出する第２圧力センサと、前記第２圧力センサの検出値に基づいて、前記軟水機通流弁と前記軟水機パイパス弁とを自動制御する制御部と、を有していることを特徴とする水処理装置である。
【００２１】
本発明によれば、軟水機の出口側の圧力を検出する第２圧力センサの検出値に基づいて軟水機通流弁と軟水機パイパス弁とが自動制御されることにより、ユーザによる手動の切換操作を必要とすることなく、軟水機のパイパスを必要最小限且つタイムリーに実施することができる。
【００２２】
例えば、制御部は、第２圧力センサの検出値が所定量未満、例えば０．０７ＭＰａ未満、である時、軟水機通流弁を閉鎖させて、軟水機パイパス弁を開放するようになっている。第２圧力センサの検出値が所定量未満、例えば０．０７ＭＰａ未満、である時には、軟水機の内部に閉塞状態が存在する蓋然性が高いため、水処理の継続を優先するべく軟水機のバイパス機能を有効利用できる。
【００２３】
あるいは、本発明は、原水が貯留される原水タンクと、前記原水タンクから供給される原水を前処理する前処理ユニットと、前記前処理ユニットによって前処理された原水に対して逆浸透膜を用いて当該原水をＲＯ水とＲＯ排水とに分離するＲＯモジュールと、を備え、前記前処理ユニットは、軟水機を含む軟水機経路と、前記軟水機を迂回する軟水機バイパス経路と、前記軟水機経路と前記軟水機バイパス経路との合流部より下硫側に設けられたカーボンフィルタと、前記軟水機経路の原水の通流を制御する軟水機通流弁と、前記軟水機パイパス経路の原水の通流を制御する軟水機パイパス弁と、前記カーボンフィルタの出口側の圧力を検出する第３圧力センサと、前記第３圧力センサの検出値に基づいて、前記軟水機通流弁と前記軟水機パイパス弁とを自動制御する制御部と、を有していることを特徴とする水処理装置である。
【００２４】
本発明によれば、カーボンフィルタの出口側の圧力を検出する第３圧力センサの検出値に基づいて軟水機通流弁と軟水機パイパス弁とが自動制御されることにより、ユーザによる手動の切換操作を必要とすることなく、軟水機のパイパスを必要最小限且つタイムリーに実施することができる。
【００２５】
例えば、制御部は、第３圧力センサの検出値が所定量未満、例えば０．０２ＭＰａ未満、である時、軟水機通流弁を閉鎖させて、軟水機パイパス弁を開放するようになっている。第３圧力センサの検出値が所定量未満、例えば０．０２ＭＰａ未満、である時には、軟水機の内部に閉塞状態が存在する蓋然性が高いため、水処理の継続を優先するべく軟水機のバイパス機能を有効利用できる。
【００２６】
あるいは、本発明は、原水が貯留される原水タンクと、前記原水タンクから供給される原水を前処理する前処理ユニットと、前記前処理ユニットによって前処理された原水に対して逆浸透膜を用いて当該原水をＲＯ水とＲＯ排水とに分離するＲＯモジュールと、を備え、前記前処理ユニットは、軟水機を含む軟水機経路と、前記軟水機を迂回する軟水機バイパス経路と、前記軟水機経路と前記軟水機バイパス経路との合流部より下硫側に設けられたカーボンフィルタと、前記軟水機経路の原水の通流を制御する軟水機通流弁と、前記軟水機パイパス経路の原水の通流を制御する軟水機パイパス弁と、前記カーボンフィルタの出口側の通水量を検出する通水量センサと、前記通水量センサの検出値に基づいて、前記軟水機通流弁と前記軟水機パイパス弁とを自動制御する制御部と、を有していることを特徴とする水処理装置である。
【００２７】
本発明によれば、カーボンフィルタの出口側の通水量を検出する通水量センサの検出値に基づいて軟水機通流弁と軟水機パイパス弁とが自動制御されることにより、ユーザによる手動の切換操作を必要とすることなく、軟水機のパイパスを必要最小限且つタイムリーに実施することができる。
【００２８】
例えば、制御部は、通水量センサの検出値が所定量未満である時、軟水機通流弁を閉鎖させて、軟水機パイパス弁を開放するようになっている。通水量センサの検出値が所定量未満である時には、軟水機の内部に閉塞状態が存在する蓋然性が高いため、水処理の継続を優先するべく軟水機のバイパス機能を有効利用できる。
【００２９】
あるいは、本発明は、原水が貯留される原水タンクと、前記原水タンクから供給される原水を前処理する前処理ユニットと、前記前処理ユニットによって前処理された原水に対して逆浸透膜を用いて当該原水をＲＯ水とＲＯ排水とに分離するＲＯモジュールと、を備え、前記前処理ユニットは、軟水機を含む軟水機経路と、前記軟水機を迂回する軟水機バイパス経路と、前記軟水機経路の原水の通流を制御する軟水機通流弁と、前記軟水機パイパス経路の原水の通流を制御する軟水機パイパス弁と、前記軟水機経路内の前記軟水機の入口側の圧力を検出する第１圧力センサと、前記軟水機経路内の前記軟水機の出口側の圧力を検出する第２圧力センサと、前記カーボンフィルタの出口側の圧力を検出する第３圧力センサと、前記カーボンフィルタの出口側の通水量を検出する通水量センサと、前記第１圧力センサ、前記第２圧力センサ、前記第３圧力センサ及び前記通水量センサのうちの少なくとも一つの検出値に基づいて、前記軟水機通流弁と前記軟水機パイパス弁とを自動制御する制御部と、を有していることを特徴とする水処理装置である。
【００３０】
また、以上の各発明において、制御部による自動制御機能を一時的に不能化できる手動スイッチを更に備えていることが好ましい。
【発明の効果】
【００３１】
本発明によれば、軟水機の入口側の圧力を検出する第１圧力センサの検出値に基づいて軟水機通流弁と軟水機パイパス弁とが自動制御されることにより、ユーザによる手動の切換操作を必要とすることなく、軟水機のパイパスを必要最小限且つタイムリーに実施することができる。
【００３２】
あるいは、本発明によれば、軟水機の出口側の圧力を検出する第２圧力センサの検出値に基づいて軟水機通流弁と軟水機パイパス弁とが自動制御されることにより、ユーザによる手動の切換操作を必要とすることなく、軟水機のパイパスを必要最小限且つタイムリーに実施することができる。
【００３３】
あるいは、本発明によれば、カーボンフィルタの出口側の圧力を検出する第３圧力センサの検出値に基づいて軟水機通流弁と軟水機パイパス弁とが自動制御されることにより、ユーザによる手動の切換操作を必要とすることなく、軟水機のパイパスを必要最小限且つタイムリーに実施することができる。
【００３４】
あるいは、本発明によれば、カーボンフィルタの出口側の通水量を検出する通水量センサの検出値に基づいて軟水機通流弁と軟水機パイパス弁とが自動制御されることにより、ユーザによる手動の切換操作を必要とすることなく、軟水機のパイパスを必要最小限且つタイムリーに実施することができる。
【図面の簡単な説明】
【００３５】
【図１】本発明の一実施形態に係る水処理装置の概略説明図である。
【図２】従来の人工透析用水製造装置の概略説明図である。
【発明を実施するための形態】
【００３６】
以下、図面を参照して本発明の実施の形態について説明する。  
【００３７】
図１は、本発明の一実施形態に係る水処理装置の概略説明図である。図１に示すように、本実施形態の水処理装置１０は、原水が貯留されると共に、当該原水を加温する加温ヒータ１１ｈが設けられた原水タンク１１と、原水タンク１１において加温された原水を前処理する前処理ユニット１３と、前処理ユニット１３によって前処理された原水に対して逆浸透膜（ＲＯＭ）を用いて当該原水をＲＯ水とＲＯ排水とに分離するＲＯモジュール１５ｍと、を備えている。
【００３８】
本実施形態では、原水として水道水が用いられるようになっている。水道水である原水は、原水タンク１１において貯留されるようになっている。加温ヒータ１１ｈは、原水タンク１１の内部に設けられていて、本実施形態では原水の温度を２５℃にまで加温するようになっている。原水の温度が２５℃よりも低いままでは、後続の装置内において、原水中のシリカ成分等が析出して不具合を発生させるおそれがあるからである。
【００３９】
図１に示すように、２５℃に加温された原水は、原水ポンプ１２によって前処理ユニット１３に送られるようになっている。前処理ユニット１３は、プレフィルタ１３ａと、軟水機１３ｂと、カーボンフィルタ１３ｃと、を当該順序で有している。プレフィルタ１３ａは、主として原水中の不純物（ゴミ）を濾過するようになっており、軟水機１３ｂは、主として原水中のカルシウムイオン（Ｃａ2+ ）及びマグネシウムイオン（Ｍｇ2+ ）を除去するようになっており、カーボンフィルタ１３ｃは、主として原水中の残留塩素（ＨＣｌＯ等）を除去するようになっている。
【００４０】
前処理ユニット１３での前処理が終わった原水は、ＲＯユニット１４（逆浸透膜処理装置）に送られるようになっている。ＲＯユニット１４は、ＲＯポンプ１４ｐを用いて、前処理が終わった原水をＲＯモジュール１４ｍ内に供給するようになっている。ＲＯモジュール１４ｍは、原水内に含まれる無機イオン全般を除去するようになっている。ＲＯモジュール１４ｍでの処理を終えたＲＯ水（原水の１５〜４８％程度）は、ＲＯ水供給ユニット１５に送られるようになっており、ＲＯモジュール１４ｍでの処理によって生成されたＲＯ排水は、一部（原水の５〜８０％程度、「循環水」とも呼ばれる）がＲＯポンプ１４ｐを介してＲＯモジュール１４ｍ内に再投入されるようになっており、他の一部（原水の５〜４８％程度、「濃縮水」とも呼ばれる）が排水処理されるようになっている。
【００４１】
ＲＯ水供給ユニット１５は、ＲＯ水が貯留されるＲＯ水タンク１５ｔを有している。ＲＯ水タンク１５ｔ内には、ＵＶ照射装置１５ｕが設けられていて、ＲＯ水にＵＶ照射処理を行なえるようになっている。また、ＲＯ水タンク１５ｔには、当該ＲＯ水タンク１５ｔ内のＲＯ水の水位変化に依存して流入する外部空気中の浮遊菌やゴミを除去するために、エアーフィルタ１５ｆが設けられている。
【００４２】
ＲＯ水タンク１５ｔに貯留されたＲＯ水は、送水ポンプ１６を介して、ＵＦ１７（ウルトラフィルタ、「限界濾過膜」とも呼ばれる）に送られるようになっている。ＵＦ１７は、ＲＯ水から生物学的不純物を除去するようになっている。ＵＦ１７によって生物学的不純物を除去されたＲＯ水は、透析用水として、透析治療用の各種の医療機器（不図示）に送られるようになっている。通常、それらの医療機器において、透析用水は３６℃にまで加温されて、各種の透析治療に利用される。そして、透析用水は、医療機器循環後、ＵＦ１８（ウルトラフィルタ、「限界濾過膜」とも呼ばれる）に戻ってきて、更にＲＯ水タンク１５ｔに戻されるようになっている。
【００４３】
さて、本実施形態の特徴は、軟水機１３ｂの閉塞状態の程度が高く軟水機１３ｂをバイパスさせることが好ましい場合に、自動的に軟水機１３ｂをバイパスさせる機能を備えることである。
【００４４】
当該機能のため、本実施形態の前処理ユニット１３は、軟水機１３ｂを含む軟水機経路２１に加えて、軟水機１３ｂを迂回する軟水機バイパス経路３１を備えている。軟水機経路２１と軟水機パイパス経路３１との分岐部は、プレフィルタ１３ａの出口側に位置している。そして、軟水機経路２１には、当該軟水機経路２１への原水の通流を制御する軟水機通流弁２２が設けられており、軟水機パイパス経路３１には、当該軟水機バイパス経路３１への原水の通流を制御する軟水機パイパス弁３２が設けられている。本実施形態の軟水機通流弁２２は、軟水機経路２１と軟水機パイパス経路３１との分岐部の下流側であって軟水機１３ｂの上流側に設けられている。
【００４５】
また、軟水機経路２１内の軟水機１３ｂの入口側には、当該入口側の圧力を所定の時間間隔で検出する第１圧力センサ４１が設けられており、軟水機経路２１内の軟水機１３ｂの出口側には、当該出口側の圧力を所定の時間間隔で検出する第２圧力センサ４２が設けられており、カーボンフィルタ１３ｃの出口側には、当該出口側の圧力を所定の時間間隔で検出する第３圧力センサ４３が設けられており、カーボンフィルタ１３ｃの出口側には更に、当該出口側の通水量を所定の時間間隔で検出する通水量センサ４４が設けられている。
【００４６】
そして、第１圧力センサ４１、第２圧力センサ４２、第３圧力センサ４３及び通水量センサ４４のうちの少なくとも一つの検出値に基づいて、軟水機通流弁２２と軟水機パイパス弁３２とを自動制御する制御部（不図示）が設けられている。
【００４７】
具体的には、制御部は、第１圧力センサ４１の検出値が所定量以上、例えば０．２ＭＰａ以上、である時、軟水機通流弁２２を閉鎖させて、軟水機パイパス弁３２を開放するようになっている。
【００４８】
また、制御部は、第２圧力センサ４２の検出値が所定量未満、例えば０．０７ＭＰａ未満、である時、軟水機通流弁２２を閉鎖させて、軟水機パイパス弁３２を開放するようになっている。
【００４９】
また、制御部は、第３圧力センサ４３の検出値が所定量未満、例えば０．０２ＭＰａ未満、である時、軟水機通流弁２２を閉鎖させて、軟水機パイパス弁３２を開放するようになっている。
【００５０】
また、制御部は、通水量センサ４４の検出値が所定量未満である時、軟水機通流弁２２を閉鎖させて、軟水機パイパス弁３２を開放するようになっている。（この場合の所定量は、水処理装置の仕様に応じて異なる。）
【００５１】
次に、本実施の形態の作用について説明する。
【００５２】
図１に示すように、例えば９℃の水道水である原水が、原水タンク１１において貯留される。そして、原水タンク１１の加温ヒータ１１ｈが、原水の温度を２５℃にまで加温する。
【００５３】
２５℃に加温された原水は、原水ポンプ１２によって前処理ユニット１３に送られる。前処理ユニット１３において、プレフィルタ１３ａが、主として原水中の不純物（ゴミ）を濾過して除去し、軟水機１３ｂが、主として原水中のカルシウムイオン（Ｃａ2+ ）及びマグネシウムイオン（Ｍｇ2+ ）を除去し、カーボンフィルタ１３ｃが、主として原水中の塩素イオン（Ｃｌ- ）を除去する。
【００５４】
前処理ユニット１３での前処理が終わった原水は、ＲＯユニット１４（逆浸透膜処理装置）に送られる。ＲＯユニット１４は、ＲＯポンプ１４ｐを用いて、前処理が終わった原水をＲＯモジュール１４ｍ内に供給する。ＲＯモジュール１４ｍは、原水内に含まれる無機イオン全般を除去する処理を実施し、ＲＯモジュール１４ｍでの処理を終えたＲＯ水（原水の１５〜４８％程度）は、ＲＯ水供給ユニット１５に送られる。
【００５５】
一方、ＲＯモジュール１４ｍでの処理によって生成されたＲＯ排水は、一部（原水の５〜８０％程度、「循環水」とも呼ばれる）がＲＯポンプ１４ｐを介してＲＯモジュール１４ｍ内に再投入され、他の一部（原水の５〜４８％程度、「濃縮水」とも呼ばれる）が排出される。
【００５６】
ＲＯ水供給ユニット１５では、ＲＯ水タンク１５ｔにＲＯ水が貯留される。必要に応じて、ＵＶ照射装置１５ｕによってＵＶ照射処理が行なわれる。
【００５７】
その後、ＲＯ水タンク１５ｔに貯留されたＲＯ水は、送水ポンプ１６を介して、ＵＦ１７（ウルトラフィルタ）に送られる。ＵＦ１７は、ＲＯ水から生物学的不純物を除去する。ＵＦ１７によって生物学的不純物を除去されたＲＯ水は、例えば透析用水として、透析治療用の各種の医療機器（不図示）に送られる。当該透析用水は、医療機器循環後、ＵＦ１８（ウルトラフィルタ）に戻ってきて、更にＲＯ水タンク１５ｔに戻される。
【００５８】
本実施形態では、水処理装置１０の稼働中、軟水機経路２１内の軟水機１３ｂの入口側の第１圧力センサ４１が、当該入口側の圧力を所定の時間間隔で自動的に検出し、軟水機経路２１内の軟水機１３ｂの出口側の第２圧力センサ４２が、当該出口側の圧力を所定の時間間隔で自動的に検出し、カーボンフィルタ１３ｃの出口側の第３圧力センサ４３が、当該出口側の圧力を所定の時間間隔で自動的に検出し、カーボンフィルタ１３ｃの出口側の通水量センサ４４が、当該出口側の通水量を所定の時間間隔で自動的に検出する。
【００５９】
そして、制御部が、第１圧力センサ４１の検出値が所定量以上、例えば０．２ＭＰａ以上、である時、軟水機通流弁２２を閉鎖させて、軟水機パイパス弁３２を開放する。
【００６０】
第１圧力センサ４１の検出値が所定量以上、例えば０．２ＭＰａ以上、である時には、軟水機１３ｂの内部に閉塞状態が存在する蓋然性が高いが、本実施形態の制御部の前記制御によって、軟水機１３ｂのバイパス機能を自動的に有効利用することができ、水処理を安定的に継続させることができる。
【００６１】
あるいは、制御部は、第２圧力センサ４２の検出値が所定量未満、例えば０．０７ＭＰａ未満、である時、軟水機通流弁２２を閉鎖させて、軟水機パイパス弁３２を開放する。
【００６２】
第２圧力センサの検出値が所定量未満、例えば０．０７ＭＰａ未満、である時にも、軟水機１３ｂの内部に閉塞状態が存在する蓋然性が高いが、本実施形態の制御部の前記制御によって、軟水機１３ｂのバイパス機能を自動的に有効利用することができ、水処理を安定的に継続させることができる。
【００６３】
あるいは、制御部は、第３圧力センサ４３の検出値が所定量未満、例えば０．０２ＭＰａ未満、である時、軟水機通流弁２２を閉鎖させて、軟水機パイパス弁３２を開放する。
【００６４】
第３圧力センサの検出値が所定量未満、例えば０．０２ＭＰａ未満、である時にも、軟水機１３ｂの内部に閉塞状態が存在する蓋然性が高いが、本実施形態の制御部の前記制御によって、軟水機１３ｂのバイパス機能を自動的に有効利用することができ、水処理を安定的に継続させることができる。
【００６５】
あるいは、制御部は、通水量センサ４４の検出値が所定量未満である時、軟水機通流弁２２を閉鎖させて、軟水機パイパス弁３２を開放する。
【００６６】
第４通水量センサの検出値が所定量未満である時にも、軟水機１３ｂの内部に閉塞状態が存在する蓋然性が高いが、本実施形態の制御部の前記制御によって、軟水機１３ｂのバイパス機能を自動的に有効利用することができ、水処理を安定的に継続させることができる。
【００６７】
以上の通り、本実施形態によれば、軟水機１３ｂの入口側の圧力を検出する第１圧力センサ４１の検出値に基づいて軟水機通流弁２２と軟水機パイパス弁３２とが自動制御されることにより、ユーザによる手動の切換操作を必要とすることなく、軟水機１３ｂのパイパスを必要最小限且つタイムリーに実施することができる。
【００６８】
また、本実施形態によれば、軟水機１３ｂの出口側の圧力を検出する第２圧力センサ４２の検出値に基づいて軟水機通流弁２２と軟水機パイパス弁３２とが自動制御されることにより、ユーザによる手動の切換操作を必要とすることなく、軟水機１３ｂのパイパスを必要最小限且つタイムリーに実施することができる。
【００６９】
また、本実施形態によれば、カーボンフィルタ１３ｃの出口側の圧力を検出する第３圧力センサ４３の検出値に基づいて軟水機通流弁２２と軟水機パイパス弁３２とが自動制御されることにより、ユーザによる手動の切換操作を必要とすることなく、軟水機１３ｂのパイパスを必要最小限且つタイムリーに実施することができる。
【００７０】
また、本実施形態によれば、カーボンフィルタ１３ｃの出口側の通水量を検出する通水量センサ４４の検出値に基づいて軟水機通流弁２２と軟水機パイパス弁３２とが自動制御されることにより、ユーザによる手動の切換操作を必要とすることなく、軟水機１３ｂのパイパスを必要最小限且つタイムリーに実施することができる。
【００７１】
なお、以上の実施形態では、第１圧力センサ４１、第２圧力センサ４２、第３圧力センサ４３及び通水量センサ４４のうちの少なくとも一つの検出値が各々の所定の閾値を超えた時に、軟水機通流弁２２と軟水機パイパス弁３２とが自動制御されるようになっているが、これら４つのセンサ４１〜４４のうちの二つの検出値が各々の所定の閾値を超えた時に、軟水機通流弁２２と軟水機パイパス弁３２とが自動制御されるようになっていてもよい。この場合、二つの検出値の組み合わせは、水処理装置１０の仕様等に合わせて適宜に選択され得る。
【００７２】
更には、前記４つのセンサ４１〜４４のうちの三つの検出値が各々の所定の閾値を超えた時に、軟水機通流弁２２と軟水機パイパス弁３２とが自動制御されるようになっていてもよい。この場合、三つの検出値の組み合わせは、水処理装置１０の仕様等に合わせて適宜に選択され得る。
【００７３】
あるいは、前記４つのセンサ４１〜４４の全ての検出値が各々の所定の閾値を超えた時に、軟水機通流弁２２と軟水機パイパス弁３２とが自動制御されるようになっていてもよい。
【００７４】
また、前記４つのセンサ４１〜４４が各々の検出を実施する時間間隔は、軟水機１３ｂの状態をモニタリングする時間間隔に対応し、ユーザによって適宜に選択可能となっていることが好ましい。
【００７５】
更に、以上の実施形態において、制御部による前記自動制御機能を一時的に不能化できる手動スイッチを更に備えていることが好ましい。この場合、ユーザの希望に応じて、軟水機１３ｂのパイパス機能を一時的に不能化することができる。
【符号の説明】
【００７６】
１０  水処理装置
１１  原水タンク
１１ｈ  加温ヒータ
１２  原水ポンプ
１３  前処理ユニット
１３ａ  プレフィルタ
１３ｂ  軟水機
１３ｃ  カーボンフィルタ
１４  ＲＯユニット
１４ｐ  ＲＯポンプ
１４ｍ  ＲＯモジュール
１５  ＲＯ水供給ユニット
１５ｔ  ＲＯ水タンク
１５ｕ  ＵＶ照射装置
１５ｆ  エアーフィルタ
１６  送水ポンプ
１７  ＵＦ（ウルトラフィルタ）
１８  ＵＦ（ウルトラフィルタ）
２１  軟水機経路
２２  軟水機通流弁
３１  軟水機バイパス経路
３２  軟水機バイパス弁
４１  第１圧力センサ
４２  第２圧力センサ
４３  第３圧力センサ
４４  通水量センサ
５１  原水タンク
５１ｈ  加温ヒータ
５２  原水ポンプ
５３  前処理ユニット
５３ａ  プレフィルタ
５３ｂ  軟水機
５３ｃ  カーボンフィルタ
５４  ＲＯユニット
５４ｐ  ＲＯポンプ
５４ｍ  ＲＯモジュール
５５  ＲＯ水供給ユニット
５５ｔ  ＲＯ水タンク
５５ｕ  ＵＶ照射装置
５５ｆ  エアーフィルタ
５６  送水ポンプ
５７  ＵＦ（ウルトラフィルタ）
５８  ＵＦ（ウルトラフィルタ）
【図１】
2018201664.tif 000003
【図２】
2018201664.tif 000004